(57)【要約】【課題】無音トラックのリピート再生を行わない「DVDオーディオ再生装置及びオーディオ再生装置」を提供する。【解決手段】ナビゲーションマネージャ１１は、DVD-Audioディスク１がロードされると、先頭のグループ１に属するATTの数を調べ、その数が一つであれば、そのATTの再生時間が予め設定したしきい値Ｔｈ（たとえば、１秒）以下であるかどうかを調べる。そしてATTの再生時間がしきい値Ｔｈ以下であった場合には、グループ１はメニューの強制表示のためにのみ設けられた無音トラックのみからなるグループであると推定して、このグループ１に対してリピート禁止フラグを設定する。そして、このグループ１の再生中はリピート再生モードを解除する。【選択図】図１
2006004567.tif 000002
【特許請求の範囲】
【請求項１】
DVD-Audioディスクを再生するDVDオーディオ再生装置であって、
DVD-Audioディスクに記録されたトラックのグループのうちの先頭グループがATTを一つのみ含み、かつ、当該先頭グループのATTの再生時間が所定の基準時間よりも短い場合に、当該先頭グループをリピート再生禁止グループに設定するリピート再生禁止設定部と、
リピート再生モードが設定されている場合に、トラックまたはグループを繰り返し再生するリピート再生を行う再生部と、
前記再生部の、前記リピート再生禁止グループまたは前記リピート再生禁止グループのトラックのリピート再生を抑止するリピート再生抑止制御部とを有することを特徴とするDVDオーディオ再生装置。
【請求項２】
請求項１記載のDVDオーディオ再生装置であって、
前記再生部は、前記リピート再生モードとして、トラックリピート再生モードが設定されている場合に、前記リピート再生として、再生対象となったトラックである再生対象トラックを繰り返し再生するトラックリピート再生を行い、
前記リピート再生抑止制御部は、前記リピート再生モードとしてトラックリピート再生モードが設定されている場合に、前記リピート再生禁止グループのトラックが再生対象トラックとなったときに、前記再生部のトラックリピート再生を抑止することを特徴とするDVDオーディオ再生装置。
【請求項３】
請求項１記載のDVDオーディオ再生装置であって、
前記再生部は、前記リピート再生モードとしてグループリピート再生モードが設定されている場合に、前記リピート再生として、再生対象となったグループである再生対象グループを繰り返し再生するグループリピート再生を行い、
前記リピート再生抑止制御部は、前記リピート再生モードとしてグループリピート再生モードが設定されている場合に、前記リピート再生禁止グループが再生対象グループとなったときに、前記再生部のグループリピート再生を抑止することを特徴とするDVDオーディオ再生装置。
【請求項４】
請求項２記載のDVDオーディオ再生装置であって、
前記リピート再生抑止制御部は、前記リピート再生モードとしてトラックリピート再生モードが設定されている場合に、前記リピート再生禁止グループのトラックが再生対象トラックとなったときに、前記再生部に、当該前記リピート再生禁止グループのトラックの再生を一度だけ行わせ、当該一度だけの再生の完了後に、前記再生部のトラックリピート再生の抑止を解除することを特徴とするDVDオーディオ再生装置。
【請求項５】
請求項３記載のDVDオーディオ再生装置であって、
前記リピート再生抑止制御部は、前記リピート再生モードとしてグループリピート再生モードが設定されている場合に、前記リピート再生禁止グループが再生対象グループとなったときに、前記再生部に、当該前記リピート再生禁止グループの再生を一度だけ行わせ、当該一度だけの再生の完了後に、前記再生部のグループリピート再生の抑止を解除することを特徴とするDVDオーディオ再生装置。
【請求項６】
請求項２記載のDVDオーディオ再生装置であって、
前記リピート再生抑止制御部は、前記リピート再生モードとしてトラックリピート再生モードが設定されている場合に、前記リピート再生禁止グループのトラックが再生対象トラックとなったときに、前記再生部に、当該前記リピート再生禁止グループのトラックの再生をスキップさせることにより前記再生対象トラックとなるトラックを切り替えると共に、前記再生部のトラックリピート再生の抑止を解除することを特徴とするDVDオーディオ再生装置。
【請求項７】
請求項３記載のDVDオーディオ再生装置であって、
前記リピート再生抑止制御部は、前記リピート再生モードとしてグループリピート再生モードが設定されている場合に、前記リピート再生禁止グループが再生対象グループとなったときに、前記再生部に、当該前記リピート再生禁止グループの再生をスキップさせることにより前記再生対象グループとなるグループを切り替えると共に、前記再生部のグループリピート再生の抑止を解除することを特徴とするDVDオーディオ再生装置。
【請求項８】
記録媒体に記録されたトラックを再生するオーディオ再生装置であって、
前記記録媒体に記録された先頭のトラックの再生時間が所定の基準時間よりも短い場合に、当該先頭トラックをリピート再生禁止トラックに設定するリピート再生禁止設定部と、
リピート再生モードが設定されている場合に、前記トラックまたはトラックの所定のグループの繰り返し再生を行うリピート再生を行う再生部と、
前記再生部の、前記リピート再生禁止トラックの再生の繰り返しを抑止する同トラック連続再生抑止部とを有することを特徴とするオーディオ再生装置。
【請求項９】
記録媒体に記録されたトラックを再生するオーディオ再生装置であって、
リピート再生モードが設定されている場合に、前記トラックまたはトラックの所定のグループの繰り返し再生を行うリピート再生を行う再生部と、
前記リピート再生モードが設定されている場合に、再生時間が所定の基準時間より短いトラックについては、前記再生部の再生の繰り返しを抑止する同トラック連続再生抑止部とを有することを特徴とするオーディオ再生装置。
【請求項１０】
請求項９記載のオーディオ再生装置であって、
前記同トラック連続再生抑止部は、前記リピート再生モードが設定されている場合に、再生時間が所定の基準時間より短いトラックが再生対象のトラックとなったときに、前記再生部に、当該再生対象のトラックの再生を一度だけ行わせることを特徴とするオーディオ再生装置。
【請求項１１】
請求項９記載のオーディオ再生装置であって、
前記同トラック連続再生抑止部は、前記リピート再生モードが設定されている場合に、再生時間が所定の基準時間より短いトラックが再生対象のトラックとなったときに、前記再生部に、当該トラックの再生をスキップさせることにより前記再生対象トラックとなるトラックを切り替えることを特徴とするオーディオ再生装置。
【請求項１２】
請求項９記載のオーディオ再生装置であって、
前記基準時間をユーザより受け付け設定する基準時間設定部を有することを特徴とするオーディオ再生装置。
【請求項１３】
DVDオーディオ再生装置においてDVD-Audioディスクの再生動作を制御する再生制御方法であって、
DVD-Audioディスクに記録されたトラックのグループのうちの先頭グループがATTを一つのみ含み、かつ、当該先頭グループのATTの再生時間が所定の基準時間よりも短い場合に、当該先頭グループをリピート再生禁止グループに設定する第１のステップと、
リピート再生モードが設定されている場合に、トラックまたはグループを繰り返し再生するリピート再生を行う第２のステップとを有し、
前記第２のステップにおいて、前記リピート再生禁止グループまたは前記リピート再生禁止グループのトラックについては、リピート再生を抑止することを特徴とする再生制御方法。
【請求項１４】
請求項１３記載の再生制御方法であって、
前記第２のステップにおいて、前記リピート再生モードとして、トラックリピート再生モードが設定されている場合に、前記リピート再生として、再生対象となったトラックである再生対象トラックを繰り返し再生するトラックリピート再生を行うと共に、前記リピート再生禁止グループのトラックが再生対象トラックとなったときには再生対象トラックのトラックリピート再生を抑止することを特徴とする再生制御方法。
【請求項１５】
請求項１３記載の再生制御方法であって、
前記第２のステップにおいて、前記リピート再生モードとしてグループリピート再生モードが設定されている場合に、前記リピート再生として、再生対象となったグループである再生対象グループを繰り返し再生するグループリピート再生を行うと共に、前記リピート再生禁止グループが再生対象グループとなったときに、前記再生対象グループのグループリピート再生を抑止するリことを特徴とする再生制御方法。
【請求項１６】
記録媒体に記録されたトラックを再生するオーディオ再生装置において再生動作を制御する再生制御方法であって、
リピート再生モードが設定されている場合に、再生対象となったトラックの再生時間が所定の基準時間より短いか否かを判定する第１のステップと、
リピート再生モードが設定されている場合に、前記トラックまたはトラックの所定のグループの繰り返し再生を行うリピート再生を行う第２のステップとを有し、
前記第２のステップにおいては、再生時間が所定の基準時間より短いトラックについては、前記再生部の再生の繰り返しを抑止することを特徴とする再生制御方法。
【請求項１７】
コンピュータによって読み取られ実行されるコンピュータプログラムであって、
当該コンピュータプログラムは、前記コンピュータに、
DVD-Audioディスクに記録されたトラックのグループのうちの先頭グループがATTを一つのみ含み、かつ、当該先頭グループのATTの再生時間が所定の基準時間よりも短い場合に、当該先頭グループをリピート再生禁止グループに設定する第１のステップと、
リピート再生モードが設定されている場合に、前記トラックまたはグループを繰り返し再生するリピート再生を行う第２のステップとを実行させるコンピュータプログラムであり、かつ
前記第２のステップにおいて、前記リピート再生禁止グループまたは前記リピート再生禁止グループのトラックについては、リピート再生を抑止することを特徴とするコンピュータプログラム。
【請求項１８】
請求項１７記載のコンピュータプログラムであって、
前記第２のステップにおいて、前記リピート再生モードとして、トラックリピート再生モードが設定されている場合に、前記リピート再生として、再生対象となったトラックである再生対象トラックを繰り返し再生するトラックリピート再生を行うと共に、前記リピート再生禁止グループのトラックが再生対象トラックとなったときには再生対象トラックのトラックリピート再生を抑止することを特徴とするコンピュータプログラム。
【請求項１９】
請求項１７記載のコンピュータプログラムであって、
前記第２のステップにおいて、前記リピート再生モードとしてグループリピート再生モードが設定されている場合に、前記リピート再生として、再生対象となったグループである再生対象グループを繰り返し再生するグループリピート再生を行うと共に、前記リピート再生禁止グループが再生対象グループとなったときに、前記再生対象グループのグループリピート再生を抑止するリことを特徴とするコンピュータプログラム。
【請求項２０】
コンピュータによって読み取られ実行されるコンピュータプログラムであって、
当該コンピュータプログラムは、前記コンピュータに、
リピート再生モードが設定されている場合に、記録媒体に記録されたトラックのうちの、再生対象となったトラックの再生時間が所定の基準時間より短いか否かを判定する第１のステップと、
リピート再生モードが設定されている場合に、前記トラックまたはトラックの所定のグループの繰り返し再生を行うリピート再生を行う第２のステップとを実行させるコンピュータプログラムであって、かつ
前記第２のステップにおいては、再生時間が所定の基準時間より短いトラックについては、前記再生部の再生の繰り返しを抑止することを特徴とするコンピュータプログラム。
【発明の詳細な説明】
【技術分野】
【０００１】
本発明は、DVD-Audioディスクを再生するDVDオーディオ再生装置などのオーディオ再生装置における再生制御の技術に関するものである。
【背景技術】
【０００２】
オーディオ再生装置における再生制御の技術としては、記録媒体に記録されているトラックを繰り返し再生するリピート再生の技術が知られている（たとえば、特許文献１）。
また、記憶媒体に記憶された音声を再生するオーディオ装置としては、従来より、DVD-Audioディスクを再生するDVDオーディオ再生装置が知られている。そして、DVDオーディオ再生装置において、DVD-Audioディスクに記録されたトラックや、DVD-Audioディスクに定義されているトラックの集合であるグループやDVD-Audioディスク全体を繰り返しの単位としてリピート再生を行う技術も知られている。
【特許文献１】特開２００２-２４５７６２号公報
【発明の開示】
【発明が解決しようとする課題】
【０００３】
さて、DVD-Audioディスクのプロバイダは、DVD-Audioディスクに、DVD-Audioディスクの再生動作に関するユーザ操作を受け付けるためのビジュアルなメニューを含めることができる。
また、DVD-Audioディスクのプロバイダは、DVD-Audioディスクの再生開始時に、先頭グループの先頭トラックから再生を開始すべきことをDVD-Audioディスクに定義することができる。また、ATTと呼ばれる、グループの一部となるトラックの集合毎に、再生終了後に、メニューを再生すべきことをDVD-Audioディスクに定義することができる。一方で、DVD-Audioディスクの再生開始時に、最初にメニューを再生すべきことは、DVD-Audioディスクに定義することができない。
【０００４】
なお、DVD-Audioディスクの再生開始時に、先頭グループの先頭トラックから再生を開始すべきことの定義がDVD-Audioディスクに含まれていない場合の動作は、DVDオーディオ再生装置によってまちまちであり、先頭グループの先頭トラックからDVD-Audioディスクの再生を開始するものと、メニューからDVD-Audioディスクの再生を開始するものなどがある。
【０００５】
そこで、DVD-Audioディスクのプロバイダによっては、DVD-Audioディスクの再生開始時にメニューを強制的に表示させるために、短時間（たとえば、１秒）の無音のトラックを一つだけ含めたATT一つよりなるグループを先頭グループとして設定すると共に、このATTに対して再生終了後にメニューを表示するべきこととの定義をDVD-Audioディスクに含めることがある。このようにすることにより、DVDオーディオ再生装置によらずに、DVD-Audioディスクの再生後、短時間の無音のトラックを再生を待って、直ちにメニューの再生を開始させることができるようになる。
【０００６】
しかし、このような無音のトラックや無音のトラックのみを含むグループが存在する場合に、トラックやグループを単位とするリピート再生モードで再生を行っているときに、再生対象のトラックやグループがユーザ操作などによって、この無音のトラックや無音のトラックのみを含むグループに切り替えられると、この無音のトラックや無音のトラックのみを含むグループに対してリピート再生を行うこととなって、無音のトラックが繰り返し再生されるというユーザにとって無意の動作が行われてしまうことになる。
【０００７】
ところで、DVDオーディオ再生装置としては、オーディオの再生のみを行い、前述したビジュアルなメニュー等の表示を行わないオーディオオンリプレイヤ（AOP）も認められている。そして、このようなオーディオオンリプレイヤではメニューの表示は行わないので、メニューの表示のために設けられた無音トラックや無音のトラックのみを含むグループは全く意味がない。
【０００８】
また、一般的にいって、あまりに短時間のトラックは、ユーザにとって鑑賞する意味のないまたは価値の小さいトラックであると推定することができる。
そこで、本発明は、オーディオ再生装置において、短時間のトラックのユーザにとって無意味なリピート再生が行われてしまうことを抑制することを課題とする。
【課題を解決するための手段】
【０００９】
前記課題達成のために、本発明は、DVD-Audioディスクを再生するDVDオーディオ再生装置に、DVD-Audioディスクに記録されたトラックのグループのうちの先頭グループがATTを一つのみ含み、かつ、当該先頭グループのATTの再生時間が所定の基準時間よりも短い場合に、当該先頭グループをリピート再生禁止グループに設定するリピート再生禁止設定部と、リピート再生モードが設定されている場合に、トラックまたはグループを繰り返し再生するリピート再生を行う再生部と、前記再生部の、前記リピート再生禁止グループまたは前記リピート再生禁止グループのトラックのリピート再生を抑止するリピート再生抑止制御部とを備えたものである。
【００１０】
このようなDVDオーディオ再生装置によれば、DVD-AudioディスクのプロバイダがDVD-Audioディスクの再生開始時にメニューを強制的に表示させるためなどに設定した短時間の無音のトラックを一つだけ含めたATT一つよりなる先頭グループがDVD-Audioディスクに含まれている場合でも、この先頭グループや、先頭グループのトラックが、リピート再生によって、繰り返し再生されてしまうことを排除することができる。
【００１１】
ここで、このようなDVDオーディオ再生装置は、前記再生部において、前記リピート再生モードとして、トラックリピート再生モードが設定されている場合に、前記リピート再生として、再生対象となったトラックである再生対象トラックを繰り返し再生するトラックリピート再生を行い、前記リピート再生抑止制御部において、前記リピート再生モードとしてトラックリピート再生モードが設定されている場合に、前記リピート再生禁止グループのトラックが再生対象トラックとなったときに、前記再生部のトラックリピート再生を抑止するようにしてもよい。また、前記再生部において、前記リピート再生モードとしてグループリピート再生モードが設定されている場合に、前記リピート再生として、再生対象となったグループである再生対象グループを繰り返し再生するグループリピート再生を行い、前記リピート再生抑止制御部において、前記リピート再生モードとしてグループリピート再生モードが設定されている場合に、前記リピート再生禁止グループが再生対象グループとなったときに、前記再生部のグループリピート再生を抑止するようにしてもよい。
【００１２】
これらのDVDオーディオ再生装置によれば、同じトラックを繰り返し再生するトラックリピート再生や同じグループを繰り返し再生するグループ再生を実現しつつ、各リピート再生において、短時間の無音のトラックを一つだけ含むATT一つよりなる先頭グループや、そのトラックが繰り返し再生されてしまうことを排除することができる。
【００１３】
また、以上の各DVDオーディオ再生装置は、前記リピート再生抑止制御部において、前記リピート再生モードとしてトラックリピート再生モードが設定されている場合に、前記リピート再生禁止グループのトラックが再生対象トラックとなったときに、前記再生部に、当該前記リピート再生禁止グループのトラックの再生を一度だけ行わせ、当該一度だけの再生の完了後に、前記再生部のトラックリピート再生の抑止を解除するようにしてもよい。また、前記リピート再生抑止制御部は、前記リピート再生モードとしてグループリピート再生モードが設定されている場合に、前記リピート再生禁止グループが再生対象グループとなったときに、前記再生部に、当該前記リピート再生禁止グループの再生を一度だけ行わせ、当該一度だけの再生の完了後に、前記再生部のグループリピート再生の抑止を解除するようにしてもよい。
【００１４】
このようにすることにより、DVD-AudioディスクのプロバイダがDVD-Audioディスクの再生開始時にメニューを強制的に表示させるためなどに設定した短時間の無音のトラックを一つだけ含めたATT一つよりなる先頭グループがDVD-Audioディスクに含まれている場合において、DVDオーディオ再生装置がビデオ再生機能を備えたビデオケイバブルオーディオプレイヤ（VCAP)である場合に、リピート再生においても、DVD-Audioディスクのプロバイダの意図通りに、先頭グループの短時間の無音再生と再生完了後のメニュー表示を実現することができるようになる。
【００１５】
また、これらのDVDオーディオ再生装置では、前記リピート再生抑止制御部において、前記再生部に、前記リピート再生禁止グループや前記リピート再生禁止グループのトラックの再生を、一度だけ再生を行わせる代わりに以下のように構成してもよい。
すなわち、前記リピート再生抑止制御部において、前記リピート再生モードとしてトラックリピート再生モードが設定されている場合に、前記リピート再生禁止グループのトラックが再生対象トラックとなったときに、前記再生部に、当該前記リピート再生禁止グループのトラックの再生をスキップさせることにより前記再生対象トラックとなるトラックを切り替えると共に、前記再生部のトラックリピート再生の抑止を解除するようにしてもよい。また、前記リピート再生抑止制御部において、前記リピート再生モードとしてグループリピート再生モードが設定されている場合に、前記リピート再生禁止グループが再生対象グループとなったときに、前記再生部に、当該前記リピート再生禁止グループの再生をスキップさせることにより前記再生対象グループとなるグループを切り替えると共に、前記再生部のグループリピート再生の抑止を解除するようにしてもよい。
【００１６】
このようにすることにより、DVD-AudioディスクのプロバイダがDVD-Audioディスクの再生開始時にメニューを強制的に表示させるためなどに設定した短時間の無音のトラックを一つだけ含めたATT一つよりなる先頭グループがDVD-Audioディスクに含まれている場合において、DVDオーディオ再生装置がビデオ再生機能を備えていない、したがってメニュー表示機能を持たないビデオオンリプレイヤ(AOP)やシンプルオーディオプレイヤ（SOP)である場合に、リピート再生において、ユーザにとってもDVD-Audioディスクのプロバイダにとっても無意味な、先頭グループの再生を一切行わないようにすることができる。
【００１７】
ここで、前記課題達成のために、本発明は、さらに、記録媒体に記録されたトラックを再生するオーディオ再生装置に、前記記録媒体に記録された先頭のトラックの再生時間が所定の基準時間よりも短い場合に、当該先頭トラックをリピート再生禁止トラックに設定するリピート再生禁止設定部と、リピート再生モードが設定されている場合に、前記トラックまたはトラックの所定のグループの繰り返し再生を行うリピート再生を行う再生部と、前記再生部の、前記リピート再生禁止トラックの再生の繰り返しを抑止する同トラック連続再生抑止部とを備えたものである。
【００１８】
このようなオーディオ再生装置によれば、記録媒体が、プロバイダが再生開始時にメニューを強制的に表示させるためなどに設定した短時間の無音のトラックを一つだけ含めたATT一つよりなる先頭グループを含むDVD-Audioディスクである場合や、その他のユーザにとってオーディオコンテンツとしては無意味な短時間のトラックを先頭に含む記録媒体である場合に、リピート再生において、この先頭のトラックが、繰り返し再生されてしまうことを排除することができる。
【００１９】
また、前記課題達成のために、本発明は、記録媒体に記録されたトラックを再生するオーディオ再生装置に、リピート再生モードが設定されている場合に、前記トラックまたはトラックの所定のグループの繰り返し再生を行うリピート再生を行う再生部と、前記リピート再生モードが設定されている場合に、再生時間が所定の基準時間より短いトラックについては、前記再生部の再生の繰り返しを抑止する同トラック連続再生抑止部とを備えたものである。
【００２０】
このようなオーディオ再生装置によれば、リピート再生を行っているときでも、ユーザにとって鑑賞する意味のないまたは価値の小さいと推定される短時間のトラックについては、これを繰り返し再生しないようにすることができる。
また、記録媒体が、プロバイダが再生開始時にメニューを強制的に表示させるためなどに設定した短時間の無音のトラックを一つだけ含めたATT一つよりなる先頭グループを含むDVD-Audioディスクである場合でも、この先頭グループや、先頭グループのトラックが、リピート再生によって、繰り返し再生されてしまうことを排除することができる。
【００２１】
ここで、このようなオーディオ再生装置は、前記同トラック連続再生抑止部において、前記リピート再生モードが設定されている場合に、再生時間が所定の基準時間より短いトラックが再生対象のトラックとなったときに、前記再生部に、当該再生対象のトラックの再生を一度だけ行わせるように構成してもよい。または、前記同トラック連続再生抑止部において、前記リピート再生モードが設定されている場合に、再生時間が所定の基準時間より短いトラックが再生対象のトラックとなったときに、前記再生部に、当該トラックの再生をスキップさせることにより前記再生対象トラックとなるトラックを切り替えるようにしてもよい。
【００２２】
また、これらのオーディオ再生装置には、前記基準時間をユーザより受け付け設定する基準時間設定部を設けることも好ましい。
【発明の効果】
【００２３】
以上のように、本発明によれば、オーディオ再生装置において、短時間のトラックのユーザにとって無意味なリピート再生が行われてしまうことを抑制することができる。
【発明を実施するための最良の形態】
【００２４】
以下、本発明の実施形態を、DVDオーディオ再生装置への適用を例にとり説明する。
まず、第１の実施形態について説明する。
本第１実施形態は、DVDオーディオ再生装置がビデオ再生機能を備えたビデオケイバブルオーディオプレイヤ（VCAP)である場合についてのものである。
図１に、本第１実施形態に係るDVDオーディオ再生装置の構成を示す。
図１に、本実施形態に係るDVDオーディオ再生装置の構成を示す。
図示するように、DVDオーディオ再生装置は、DVD-Audioディスク１にリードアクセスするDVDドライバ１０、DVD-Audioディスク１の再生出力動作を制御するナビゲーションマネージャ１１、ナビゲーションマネージャ１１の制御に従ってDVD-Audioディスク１の再生出力を行うプレゼンテーションエンジン１２、表示装置１３、音声を出力するスピーカ等の音声出力装置１４、入力装置１５とを有する。
【００２５】
なお、以上のDVDビデオ再生装置は、DVDドライバ１０や表示装置１３や音声出力装置１４や入力装置１５を周辺装置として備えた汎用コンピュータであってもよい。そして、この場合、以上のナビゲーションマネージャ１１やプレゼンテーションまたはその一部は、コンピュータがプログラムを実行することによりコンピュータ上にプロセスとして実現されるものとして良い。
【００２６】
ここで、図２に、DVD-Audioディスク１に記録されたデータの論理構造と、DVD-Audioディスク１の再生構造との関係を示す。
DVD-Audioディスク１のプレゼンテーションコンテンツの単位は、グループ化されたトラックであり、トラックやグループを単位としてその再生シーケンスが制御される。また、DVD-Audioディスク１には、再生制御操作を受け付けるためのビジュアルメニューのデータを含めることができる。
【００２７】
そして、図２に示すように、DVD-AUDIOディスク１は、ビデオゾーンとオーディオゾーンを有する。
そして、図示するように、オーディオゾーンには、DVD-AUDIO規格に従ってオーディオコンテンツが記憶される。また、ビデオゾーンにはDVD-VIDEO規格に準拠し、一部制限を設けた規格（DVD-VIDEO規格のサブセット）に従ってビデオコンテンツが記憶されている。
ここで、ビデオコンテンツは、以下のような構造を有する。
すなわち、ビデオコンテンツは、ビデオマネージャVMGと、１以上のビデオタイトルセットVTSよりなる。そして、VTSは１以上のビデオタイトルVTTを含み、各VTTは１以上のVTSプログラムチェインVTS_PGCよりなり、各VTS_PGCは１以上のプログラムPGの再生順序を規定するものである。そして、各PGは１または複数のビデオタイトルセットセルVTS_CELLよりなり、各VTS_CELLは１以上のビデオオブジェクトセットユニットVOBUよりなり、各VOBUには動画のデータであるビデオデータや音声のデータであるオーディオデータや静止画のデータであるサブピクチャデータやユーザ操作を受け付けるボタンを定義するハイライト情報HLIが格納されている。
【００２８】
ただし、VTTは、ATT（オーディオウイズビデオタイトルAVTT）として共用される場合もある。
なお、VMGは、DVDビデオプレイヤにおいて、DVD-Audioディスク１のVideoゾーンを再生するためのものである。
一方、オーディオコンテンツは、以下のような構造を有する。
すなわち、オーディオコンテンツは、シンプルオーディオマネージャSAMG、オーディオマネージャAMG、オーディオスチルビデオセットASVS、１以上のオーディオタイトルセットATSよりなる。そして、ATSは、１以上のオーディオタイトルATT（オーディオオンリタイトルAOTT）を含み、各ATTは、ATSプログラムチェインATS_PGCよりなり、各ATS_PGCは１以上のプログラムPGの再生順序を規定するものである。ここで、このATS中には２種類ある。
【００２９】
一つは、ATS中のATTのATS_PGCのPGが１以上のオーディオタイトルセットセルATS_CELLよりなるATSであり、このATS_CELLは１以上のオーディオブジェクトセットユニットAOBUよりなり、各AOBUにはオーディオデータが格納されている。そして、このPGの再生時には、ATS_CELL中のAOBUのオーディオデータが再生される。
【００３０】
もう一つは、ATS中のATTのATS_PGCのPGが、ATS_CELLの代わりにビデオゾーン中のVTS_CELLのオーディオデータを用いるPGであり、このPGの再生時には、参照するVTS_CELL中のVOBUのオーディオデータのみが再生される。
次に、ASVSは１以上のオーディオスチルビデオASVを含み、各ASVは、スライド表示に用いる静止画データであるスチルピクチャデータとサブピクチャデータとHLIを含むことができる。
そして、このASVは、ATS_PGCによって、そのATS_PGCの再生時に再生される。
次に、AMGには、ビジュアルメニューを表示するための、オーディオマネージャメニュープログラムチェインAMGM_PGCと、オーディオタイトルサーチポインタテーブルATT_SARPTと、オーティオオンリタイトルサーチポインタテーブルAOTT_SRPTが含まれる。
そして、AMGM_PGCは、１以上のプログラムPGの再生順序を規定するものである。そして、各PGは１または複数のオーディオマネージャメニューセルAMGM_CELLよりなり、各AMGM_CELLは１以上のビデオオブジェクトセットユニットVOBUよりなり、各VOBUにはビデオデータやオーディオデータやサブピクチャデータやHLIが格納されている。
【００３１】
また、オーディオタイトルサーチポインタテーブルATT_SRPTは、ビデオケーバブルプレイヤであるDVDオーティオプレイヤに対してトラックのグループや、各グループのトラックを格納しているATTを規定するものであり、各グループに属するATTを指し示すオーディオタイトルサーチポインタATT_SRPを有する。また、このATT_SRPTでは、ATT_SRPによって、VTSのVTTを指定することにより、このVTTにATTを兼ねさせることもでき、この場合、指定されたVTTは、DVDオーディオ再生装置において、ATT（オーディオウイズビデオタイトルAVTT）として再生されることになる。
【００３２】
ここで、各ATT内の、一つのPGが一つのトラックに対応するものである。
次に、オーディオオンリタイトルサーチポインタテーブルAOTT_SRPTは、ビデオ再生機能を有しないDVDオーティオプレイヤであるオーディオオンリプレイヤAOPに対してトラックのグループや、各グループのトラックを格納しているATTを規定するものであり、各グループに属するATT(AOTT)を指し示すオーディオタイトルサーチポインタAOTT_SRPを有する。
【００３３】
そして、SAMGは、PGC再生機能を有しないDVDオーティオプレイヤであるシンプルオーディオプレイヤSOPに対してトラックのグループや、各グループのトラックを規定するものであり、シンプルオーディオプレイポインタテーブルSAPPTを有する。そして、SAPPTは、各グループの各トラックを構成するATS_CELLを直接指し示すシンプルオーディオプレイポインタSAPPを有する。
【００３４】
さて、図１に戻り、プレゼンテーションエンジン１２において、デマルチプレクサ機能部１２１は、DVD-Audioディスク１から、ナビゲーションマネージャ１１の制御下で再生対象となったVOBUやAOBUやASVを読込み、再生すべきオーディオデータ、ビデオデータ、スチルピクチャデータ、サブピクチャデータ、ハイライト情報などを抽出する。オーディオデコーダ１２２は、抽出されたオーディオデータをデコードして音声出力装置１４に出力し、ビデオ／スチルピクチャデコーダ１２３はビデオデータやスチルピクチャデータをデコードし、サブピクチャデコーダ１２４はサブピクチャをデコードし、PCI-HLIデコーダ１２５はハイライト情報HLIなどをデコードする。そして、合成制御部１２６は、サブピクチャとハイライト情報HLI等とより定義されるボタンを含めた画像を生成し、これをビデオ／スチルピクチャデコーダ１２３がデコードした映像上に合成し、表示装置１３に出力する。
【００３５】
次に、本実施形態に係るDVDオーディオ再生装置のナビゲーションマネージャ１１における再生制御動作について説明する。
ナビゲーションマネージャ１１は、DVD-Audioディスク１が、DVDオーディオ再生装置にロードされると、図３に示す無音グループ抽出処理を行う。
図示するように、この処理では、まず、DVD-Audioディスク１からAMGのATT-SRPTの各ATT_SRPを読込み、先頭のグループ１に属するATTの数を調べる（ステップ３０２）。
ここで、図４aに示すように、ATT-SRPTは、AMGのオーディオマネージャ情報AMGIに含まれており、このATT-SRPTに、ATTを指定するATT_SRPが含まれる。そして、このATT_SRPに含まれるオーディオタイトルカテゴリATT_CATに、そのATTの属するグループ番号を示すオーディオグループナンバATT_GNが記述されている。
【００３６】
図３に戻り、次に、グループ１に属するATTの数が一つであるかどうかを調べ（ステップ３０４）、一つでなければ処理を終了する。一方、グループ１に属するATTの数が一つであれば、そのATTの再生時間が予め設定したしきい値Ｔｈ（たとえば、１秒）以下であるかどうかを調べる（ステップ３０６）。ここで、このしきい値Ｔｈは、ユーザが任意の値を設定できるようにしてもよい。
【００３７】
ここで、図４aに示すように、ATTの再生時間は、そのATTを指定するATT_SRPに含まれるオーディオタイトルプレイバックタイムATT_PB_TMに記述されている。
そして、グループ１に一つだけ属していたATTの再生時間がしきい値Ｔｈを越えていればそのまま処理を終了する。一方、しきい値Ｔｈ以下であった場合には、グループ１に対してリピート禁止フラグを設定し（ステップ３０８）、処理を終了する。
次に、無音グループ抽出処理が終了したならば、ナビゲーションマネージャ１１はDVD-Audioディスク１の再生を開始する。すなわち、まず、図４ａに示すDVD-Audioディスク１のAMGのAMGIのオーディオマネージャ情報マネージメントテーブルAMGI_MATのオートプレイ情報AP_INFを参照し、AP_INFに最初のグループの最初のトラックから再生を開始すべきことが記述されているかを調べる。そして、AP_INFに最初のグループの最初のトラックから再生を開始すべきことが記述されていれば、ATT-SRPTに規定される最初のグループを再生対象グループとし再生対象グループの最初のトラックを再生対象トラックとして、再生対象トラックの再生の制御を開始する。そして、以降、ATT-SRPTとATTで定義されるグループやトラックを単位とする再生の制御を行う。ここで、グループの再生とは、そのグループに属する各ATTのPGCの再生、または、そのグループに属する各ATTのPGCに属する各PGの再生と等価であり、トラックの再生とは、そのトラックに対応するPGの再生と等価である。
【００３８】
また、このグループやトラックを単位とする再生の制御のモードには、再生対象トラックを再生するトラック再生を行うトラック再生モード、再生対象グループ内の各トラックを順次再生対象トラックとしながらトラック再生を行うグループ再生を行うグループ再生モード、グループを順次再生対象グループとしながらグループ再生を行うディスク再生を行うディスク再生モード、トラック再生を繰り返し行うトラックリピート再生モード、グループ再生を繰り返し行うグループリピート再生モード、ディスク再生を繰り返し行うグループリピート再生モードなども含まれる。いずれのモードで再生の制御を行うかは、ユーザ操作やDVDオーディオ再生装置の設定に従うが、一般的には、DVD-Audioディスク再生を、最初のグループの最初のトラックの再生から開始した場合にはグループ再生モードまたはディスク再生モードで再生の制御を行う。
【００３９】
また、このグループやトラックを単位とする再生の制御には、ビジュアルメニューのユーザ操作や、入力装置１５のユーザの所定の操作（たとえば、フォワードスキップ操作や、バックワードスキップ操作や、再生対象グループや再生対象トラックの指定操作）に応じた再生対象グループや再生対象トラックの変更や、入力装置１５のユーザの所定の操作（たとえば、ストップ操作やポーズ操作）に応じた、再生の停止や、再生の一時停止なども含まれる。
【００４０】
さて、一方、前述のようにDVD-Audioディスク１の再生を開始後に参照したAP_INFに最初のグループの最初のトラックから再生を開始すべきことが記述されていない場合には、AMGのAMGM_PGCの再生を行ってビジュアルメニューを再生する。ただし、AMGM_PGCが存在しない場合には、ATT-SRPTに規定される最初のグループの最初のATTのPGCの再生の制御を開始する。なお、AP_INFに最初のグループの最初のトラックから再生を開始すべきことが記述されていない場合にも、ATT-SRPTに規定される最初のグループの最初のATTのPGCの再生の制御を開始するようにしてもよい。
【００４１】
なお、図４aに示すATT-SRPTのATT_SRPのATT_CATのRTNメニューにATT再生終了後、ビジュアルメニューの再生すべきことが記述されているATTについては、そのATTのPGCの再生が終了したならば、無条件にAMGのAMGM_PGCの再生に進みビジュアルメニューを再生する。
【００４２】
さて、ナビゲーションマネージャ１１は、以上のDVD-Audioディスク１の再生中、図５aに示すリピート再生モード解除処理を併せて行う。
図示するようにリピート再生モード解除処理では、まず、現在、グループリピート再生モードまたはトラックリピート再生モードが設定されているかどうかを調べ（ステップ５０２）、グループリピート再生モードまたはトラックリピート再生モードが設定されていない場合には、これらのリピート再生モードが設定されるのを待つ。
【００４３】
一方、グループリピート再生モードまたはトラックリピート再生モードが設定されている場合には、再生対象グループが変化したかどうかを調べ（ステップ５０４）、再生対象グループが変化していなければ、ステップ５０２に戻る。一方、再生対象グループが変化したならば、新たに再生対象グループとなったグループにリピート禁止フラグが設定されているかどうかを調べ（ステップ５０６）、設定されていなければステップ５０２に戻る。一方、リピート禁止フラグが設定されている場合には、リピート再生モードを解除し、通常のディスク再生によるトラック再生を行う（ステップ５０８）。
【００４４】
そして、再度、再生対象グループが変化するのを待ち（ステップ５１０）、再生対象グループが変化したならば、新たに再生対象グループとなったグループにリピート禁止フラグが設定されているかどうかを調べ（ステップ５１２）、リピート禁止フラグが設定されていればステップ５１０に戻って再生対象グループの次の変化を待つ。一方、新たに再生対象グループとなったグループにリピート禁止フラグが設定されていない場合には（ステップ５１２）、ステップ５１４に進み、ステップ５０８で解除した元のリピートモード（グループリピート再生モードまたはトラックリピート再生モード）を設定しステップ５０２に戻る。
【００４５】
以上、本発明の第１実施形態について説明した。
ところで、本第１実施形態は、上述の、無音グループ抽出処理（図３）とリピート再生モード解除処理（図５ａ）に代えて、図５ｂに示すリピート再生モード制御処理を行うようにしてもよい。
ここでリピート再生モード制御処理は、DVD-Audioディスク１の再生中、行われる。
図示するようにリピート再生モード制御処理では、まず、現在、グループリピート再生モードまたはトラックリピート再生モードが設定されているかどうかを調べ（ステップ５５２）、グループリピート再生モードまたはトラックリピート再生モードが設定されていない場合には、これらのリピート再生モードが設定されるのを待つ。
【００４６】
一方、グループリピート再生モードまたはトラックリピート再生モードが設定されている場合には、再生対象トラックが変化したかどうかを調べ（ステップ５５４）、再生対象トラックが変化していなければ、ステップ５５２に戻る。一方、再生対象トラックが変化したならば、新たに再生対象トラックとなったトラックの再生時間がしきい値Th（たとえば、１秒）以下であるかどうかを調べる（ステップ５５６）。なお、このしきい値Thは前述のようにユーザが任意の値を設定できるようにしてもよい。
【００４７】
また、各トラックの再生時間は、図６に示すように、ATS内のAOTTのPGに対応するトラックについては、ATS内のオーディオタイトルセット情報ATSI中のオーディオタイトルセット情報管理情報ATSI_MATのオーディオタイトルセットプログラムチェイン情報テーブルATSI_PGCITのオーディオタイトルセットプログラムチェイン情報ATS_PGCIのオーディオタイトルセットプログラム情報テーブルATS_PGITのオーディオタイトルセットプログラム情報ATS_PGIのオーディオタイトルセットプログラムプレイバックタイムATS_PG_PB_TMに記述されている。
【００４８】
また、VTS内のAVTT(VTT)のPGに対応する各トラックについても、その再生時間が、VTS内にビデオタイトルセットプログラムプレイバックタイムVTS_PG_PB_TMとして記述されている。
図５ｂに戻り、新たに再生対象トラックとなったトラックの再生時間がしきい値Thを越えていればステップ５５２に戻る。一方、新たに再生対象トラックとなったトラックの再生時間がしきい値Th以下であれば、リピート再生モードを解除し、通常のディスク再生モードを設定する（ステップ５５８）。
【００４９】
そして、再度、再生対象トラックが変化するのを待ち（ステップ５６０）、再生対象トラックが変化したならば、新たに再生対象トラックとなったトラックの再生時間がしきい値Thを越えているかどうかを調べ（ステップ５６２）、越えていなければステップ５６０に戻って、再生対象トラックの次の変化を待つ。一方、新たに再生対象トラックとなったトラックの再生時間がしきい値Thを越えている場合には（ステップ５６２）、ステップ５６４に進んで、ステップ５５８で解除した元のリピートモード（グループリピート再生モードまたはトラックリピート再生モード）を設定し、ステップ５５２に戻る。
【００５０】
以上のように、本第１実施形態によれば、たとえば、DVD-Audioディスク１のプロバイダが、DVD-Audioディスク１の再生開始時にメニューを強制的に表示させるために設定した、短時間（たとえば、１秒）の無音のトラックを一つだけ含めたATT一つよりなるグループ１(Gr1)が存在する場合において、グループリピート再生モードやトラック再生モードが設定されているときに、ユーザ操作などに応じて、このグループ(Gr1)が再生対象グループとなった場合や、このグループ１(Gr1)のトラック#1が再生対象トラックとなった場合であっても、図７aのように、このグループ１(Gr1)のトラック#1が繰り返し再生されることを排除して、図７ｂに示すように一度だけ、このグループ１(Gr1)のトラック#1が再生されるようにすることができる。なお、このグループ１(Gr1)のATTにRTNメニューによってATT再生後にビジュアルメニューを再生すべきことが規定されていない場合には、図７ｂに示すようにこのグループ１(Gr1)のトラック#1を一度再生したならば、図７ｂに示すように次のグループ２（Gr2）の再生に進むことになり、このグループ１(Gr1)のATTにRTNメニューによってATT再生後にビジュアルメニューを再生すべきことが規定されている場合には、このグループ１(Gr1)のトラック#1を一度再生したならばビジュアルメニューの再生に進むことになる。
【００５１】
また、図５ｂのリピート再生モード制御処理を行う場合には、さらに、短時間のユーザにとって鑑賞の価値が小さいと推定されるトラックについても、リピート再生の対象から除外して、トラックリピート再生モードが再生されている場合であっても、このトラックを一度だけ再生するようにすることができる。
【００５２】
以下、本発明の第２の実施形態について説明する。
本第２実施形態は、DVDオーディオ再生装置がビデオ再生機能を備えていないオーディオオンリプレイヤ（AOP)である場合についてのものである。
本第２実施形態に係るDVDオーディオ再生装置の構成は、図１に示した第１実施形態に係るDVDオーディオ再生装置からビデオ／スチルピクチャデコーダ１２３やサブピクチャデコーダ１２４やPCI-HLIデコーダ１２５や表示装置１３を廃した構成を有している。ただし、ナビゲーションマネージャ１１には、別途、ユーザインタフェース用の表示部を備えるようにしてもよい。
【００５３】
さて、本第２実施形態に係るDVDオーディオ再生装置の動作は、前記第１実施形態に係るDVDオーディオ再生装置の動作とほぼ同様であるが、AMGのATT-SRPTに代えてAMGのAOTT-SRPTを用いてブロックやトラックを認識し処理する点と、ビデオやサブピクチャやスチルピクチャやHLIのデコードや表示は行わない点が異なる。
【００５４】
なお、本第２実施形態においてもナビゲーションマネージャ１１は、AMGのATT-SRPTに代えてAMGのAOTT-SRPTを用いて無音グループ抽出処理（図３）とリピート再生モード解除処理（図５ａ）を行う。
なお、図４ａに示すように、AOTT-SRPTは、AMGのオーディオマネージャ情報AMGIに含まれており、このATOT-SRPTに、AOTTを指定するAOTT_SRPが含まれる。そして、このAOTT_SRPに含まれるオーディオオンリタイトルカテゴリAOTT_CATに、そのAOTTが属するグループ番号を示すオーディオオンリグループナンバAOTT_GNが記述されている。また、AOTTの再生時間は、そのAOTTを指定するAOTT_SRPに含まれるオーディオオンリタイトルプレイバックタイムAOTT_PB_TMに記述されている。
【００５５】
ところで、本第２実施形態に係るDVDオーディオ再生装置においても、無音グループ抽出処理（図３）とリピート再生モード解除処理（図５ａ）に代えて、リピート再生モード制御処理（図５ｂ）を行うようにしてもよい。
これらのようにすることにより、オーディオオンリプレイヤにおいて前記第１実施形態と同様の効果を得ることができる。
または、無音グループ抽出処理（図３）と図５ａのリピート再生モード解除処理に代えて、無音グループ抽出処理（図３）と図８ａのリピート再生モード解除処理を行うようにしてもよい。
すなわち、図８ａに示すように、リピート再生モード解除処理では、現在、グループリピート再生モードまたはトラックリピート再生モードが設定されているかどうかを調べ（ステップ８０２）、グループリピート再生モードまたはトラックリピート再生モードが設定されていない場合には、これらのリピート再生モードが設定されるのを待つ。
【００５６】
一方、グループリピート再生モードまたはトラックリピート再生モードが設定されている場合には、再生対象グループが変化したかどうかを調べ（ステップ８０４）、再生対象グループが変化していなければ、ステップ８０２に戻る。一方、再生対象グループが変化したならば、新たに再生対象グループとなったグループにリピート禁止フラグが設定されているかどうかを調べ（ステップ８０６）、設定されていなければステップ８０２に戻る。一方、リピート禁止フラグが設定されている場合には、再生対象グループを、現在再生対象グループとなっているグループの次のグループに変更、すなわち、グループの再生をフォワードスキップし（ステップ８０８）、ステップ８０２に戻る。
【００５７】
なお、このリピート再生モード解除処理は、グループリピート再生モードまたはトラックリピート再生モードが設定されていない場合（トラック再生モードやグループ再生モードやディスク再生モードやディスクリピート再生モードが設定されている場合）にも、新たに再生対象グループとなったグループにリピート禁止フラグが設定されている場合には、再生対象グループを、現在再生対象グループとなっているグループの次のグループに変更、すなわち、グループの再生をフォワードスキップする処理とするようにしてもよい。このようにすることにより、この短時間の一つのATTのみを持つグループを一切の再生の対象から除外することができる。
【００５８】
また、本第２実施形態に係るDVDオーディオ再生装置において、無音グループ抽出処理（図３）とリピート再生モード解除処理（図５ａ）に代えて、図８ｂに示すリピート再生モード制御処理を行うようにしてもよい。
すなわち、ナビゲーションマネージャ１１は、リピート再生モード制御処理において、まず、現在、グループリピート再生モードまたはトラックリピート再生モードが設定されているかどうかを調べ（ステップ８５２）、グループリピート再生モードまたはトラックリピート再生モードが設定されていない場合には、これらのリピート再生モードが設定されるのを待つ。
【００５９】
一方、グループリピート再生モードまたはトラックリピート再生モードが設定されている場合には、再生対象トラックが変化したかどうかを調べ（ステップ８５４）、再生対象トラックが変化していなければ、ステップ８５２に戻る。一方、再生対象トラックが変化したならば、新たに再生対象トラックとなったトラックの再生時間がしきい値Th（たとえば、１秒）以下であるかどうかを調べる（ステップ８５６）。そして、新たに再生対象トラックとなったトラックの再生時間ががしきい値Thを越えていればステップ８５２に戻り、しきい値Ｔｈ以下であれば再生対象トラックを、現在再生対象トラックとなっているトラックの次のトラックに変更、すなわち、トラックの再生をフォワードスキップし（ステップ８５８）、ステップ８５２に戻る。
【００６０】
なお、このリピート再生モード制御処理は、グループリピート再生モードまたはトラックリピート再生モードが設定されていない場合（トラック再生モードやグループ再生モードやディスク再生モードやディスクリピート再生モードが設定されている場合）にも、新たに再生対象トラックとなったトラックの再生時間がしきい値Th以下である場合には、現在再生対象トラックとなっているトラックの次のトラックに変更、すなわち、トラックの再生をフォワードスキップする処理とするようにしてもよい。このようにすることにより、この短時間のトラックを一切の再生の対象から除外することができる。
【００６１】
図８ａに示したリピート再生モード解除処理や図８ｂに示したリピート再生モード制御処理によれば、たとえば、DVD-Audioディスク１のプロバイダが、DVD-Audioディスク１の再生開始時にメニューを強制的に表示させるために設定した、短時間（たとえば、１秒）の無音のトラックを一つだけ含めたATT一つよりなるグループ１が存在する場合において、グループリピート再生モードやトラック再生モードが設定されているときに、ユーザ操作などに応じて、このグループ(Gr1)が再生対象グループとなった場合や、このグループ１(Gr1)のトラック#1が再生対象トラックとなった場合であっても、図７aのように、このグループ１(Gr1)のトラック#1が繰り返し再生されることを排除して、図７ｃに示すように、このグループ１(Gr1)のトラック#1の再生をスキップするようにすることができる。なお、この場合、このグループ１(Gr1)のトラック#1の再生をスキップしたならば、次のグループ２（Gr2）の再生に進むことになる。なお、本第２実施形態は、ビジュアルメニューの再生を行わないオーディオオンリプレイヤであるので、このようにDVD-Audioディスク１のプロバイダが、DVD-Audioディスク１の再生開始時にメニューを強制的に表示させるために設定したグループ１(Gr1)のトラック#1の再生をスキップしても支障は生じない。
【００６２】
また、図８ｂのリピート再生モード制御処理を行う場合には、さらに、短時間のユーザにとって鑑賞の価値が小さいと推定されるトラックについては、リピート再生の対象から除外して、一切再生を行わないようにすることができる。
以上、本発明の第２実施形態について説明した。
以下、本発明の第３の実施形態について説明する。
本第３実施形態は、DVDオーディオ再生装置がPGC再生機能を備えていないシンプルオーディオプレイヤ（SOP)である場合についてのものである。
本第3実施形態に係るDVDオーディオ再生装置の構成は、前記第２実施形態に係るDVDオーディオ再生装置の構成と同様である。
さて、本第２実施形態に係るDVDオーディオ再生装置の動作は、前記第２実施形態に係るDVDオーディオ再生装置の動作とほぼ同様であり、無音グループ抽出処理（図３）とリピート再生モード解除処理（図５ａ）を行う。ただし、無音グループ抽出処理（図３）とリピート再生モード解除処理（図５ａ）に代えて、リピート再生モード制御処理（図５ｂ）を行うようにしてもよい。または、無音グループ抽出処理（図３）と図５ａのリピート再生モード解除処理に代えて、無音グループ抽出処理（図３）と図８ａのリピート再生モード解除処理を行うようにしてもよい。または、無音グループ抽出処理（図３）とリピート再生モード解除処理（図５ａ）に代えて、図８ｂに示すリピート再生モード制御処理を行うようにしてもよい。
【００６３】
ただし、本第３実施形態は、前記第２実施形態とは異なり、AMGのAOTT-SRPTに代えて、SAMGのSAPPT用いてブロックやトラックを認識し処理する。
なお、図４ｂに示すように、SAPPTには、各トラックを構成するATS_CELLを指定するSAPPが含まれる。そして、このSAPPに、そのトラックが属するグループ番号を示すシンプルオーディオプレイポインタオーディオオンリグループナンバSAPP_AOTT_GRNが記述されている。また、各トラックの再生時間は、そのトラックを指定するSAPPに含まれるシンプルオーディオプレイポインタプレイバックタイムSAPP_PB_TMに記述されており、これより各トラックやグループの再生時間が求まる。
【００６４】
なお、本第３実施形態において、無音グループ抽出処理（図３）を行う場合には、無音グループ抽出処理のステップ３０４ではグループのATT数に代えてグループのトラック数を判定し、ステップ３０６ではグループ１のATTに代えてグループ１のトラックの再生時間がしきい値Th以下であるかを判定するようにする。
【００６５】
以上、本第３実施形態によれば、シンプルオーディオプレイヤにおいても、前記第２実施形態と同様の効果を得ることができる。
以上、本発明の実施形態について説明した。
【図面の簡単な説明】
【００６６】
【図１】本発明の第１実施形態に係るDVDオーディオ装置の構成を示すブロック図である。
【図２】DVD-Audioディスクに記録されるアプリケーションデータのデータ構造とプレゼンテーション構造の関係示す図である。
【図３】本発明の第１実施形態に係る無音グループ抽出処理を示すフローチャートである。
【図４】DVD-Audioディスクに記録されるAMGとSMAGを示す図である。
【図５】本発明の第１実施形態に係るリピート再生モード解除処理とリピート再生モード制御処理を示すフローチャートである。
【図６】DVD-Audioディスクに記録されるATSを示す図である。
【図７】本発明の実施形態に係るDVDオーディオ装置の再生シーケンス例を示す図である。
【図８】本発明の第２実施形態に係るリピート再生モード解除処理とリピート再生モード制御処理を示すフローチャートである。
【符号の説明】
【００６７】
１…ディスク、１０…ドライバ、１１…ナビゲーションマネージャ、１２…プレゼンテーションエンジン、１３…表示装置、１４…音声出力装置、１５…入力装置、１２１…デマルチプレクサ機能部、１２２…オーディオデコーダ、１２３…ビデオ／スチルピクチャデコーダ、１２４…サブピクチャデコーダ、１２５…PCI-HLIデコーダ、１２６…合成制御部。
【図１】
2006004567.tif 000003
【図２】
2006004567.tif 000004
【図３】
2006004567.tif 000005
【図４】
2006004567.tif 000006
【図５】
2006004567.tif 000007
【図６】
2006004567.tif 000008
【図７】
2006004567.tif 000009
【図８】
2006004567.tif 000010